(57)【特許請求の範囲】
【請求項１】
被加工レンズを保持して回転するレンズ回転手段を有し、眼鏡レンズの周縁に粗加工、仕上げ加工を行う眼鏡レンズ加工装置において、溝掘り砥石とレンズ後面加工用の傾斜面を持つ面取り砥石及びレンズ前面加工用の傾斜面を持ち両傾斜面が異なる面取り砥石からなる面取り砥石とが同軸に軸支えされ、かつ加工時に、溝掘り砥石により形成される溝がレンズ前面側に傾くように、前記レンズ回転手段の回転軸に対して固定的に傾けられている溝掘り及び面取り砥石回転軸と、溝掘り砥石及び面取り砥石を、退避位置と加工位置との間で移動する移動手段と、眼鏡フレーム又は型板の枠形状、該枠形状に対する被加工レンズのレイアウトに基づいて面取りされるコバ角部の位置を求めるコバ角部検知手段と、求められたコバ角部の位置、動径情報、溝掘り砥石の径に基づいてレンズ回転手段の回転軸の各回転角における溝掘り加工情報を得、コバ角部の位置、動径情報、面取り砥石の形状に基づいて、回転軸の各回転角における面取り加工情報を得て、粗加工、仕上げ加工されたレンズに対して、溝掘り形成がレンズカーブに沿いやすいように溝掘り及び面取り砥石回転軸がレンズ回転手段の回転軸に対して固定的に傾けられた状態で、溝堀加工及び面取り加工を行う制御手段と、を備えたことを特徴とする眼鏡レンズ加工装置。
【請求項２】
請求項１の眼鏡レンズ加工装置において、前記制御手段は前記レンズ回転手段の回転軸を軸方向と，溝掘り及び面取り砥石回転軸の方向とに移動させて溝掘り加工及び面取り加工を行うことを特徴とする眼鏡レンズ加工装置。
【請求項３】
請求項１の眼鏡レンズ加工装置において、前記移動手段は、溝掘り及び面取り砥石回転軸を回転可能に保持する保持部材と、保持部材を支持し回転可能なアームとを有し、アームを回転させることにより溝掘り砥石及び面取り砥石を加工位置と退避位置とに移動させることを特徴とする眼鏡レンズ加工装置。
【発明の詳細な説明】
【０００１】
【発明の属する技術分野】
本発明は、眼鏡レンズの周縁を加工する眼鏡レンズ加工装置に関する。
【０００２】
【従来技術】
眼鏡レンズの周縁を眼鏡枠形状に合うように加工する眼鏡レンズ加工装置が知られている。この種の装置では、眼鏡レンズを粗加工した後に仕上げ砥石により仕上加工を行うが、加工されたレンズは両側に角部を有するので、この角部にはさらに面取り加工を行う。
【０００３】
従来、このような面取り加工は、回転する円錐の砥石を持ついわゆる手摺り機により、作業者が手作業で行っていた。
【０００４】
【発明が解決しようとする課題】
しかし、手摺り機による手作業の面取り加工は容易でなく、所望する量の面取りを行うには熟練を要し、加工に不慣れな作業者では良好な面取りが難しかった。
【０００５】
本発明は、上記従来技術に鑑み、作業者の熟練度に拘わらずに良好な面取り加工を容易に行うことができる眼鏡レンズ加工装置を提供することを技術課題とする。
また、本発明は、溝掘り機構と共用され、有用な面取り加工ができる眼鏡レンズ加工装置を提供することを技術課題とする。
【０００６】
【課題を解決するための手段】
上記課題を解決するために、本発明は以下のような構成を備えることを特徴とする。
【０００７】
（１）  被加工レンズを保持して回転するレンズ回転手段を有し、眼鏡レンズの周縁に粗加工、仕上げ加工を行う眼鏡レンズ加工装置において、溝掘り砥石とレンズ後面加工用の傾斜面を持つ面取り砥石及びレンズ前面加工用の傾斜面を持ち両傾斜面が異なる面取り砥石からなる面取り砥石とが同軸に軸支えされ、かつ加工時に、溝掘り砥石により形成される溝がレンズ前面側に傾くように、前記レンズ回転手段の回転軸に対して固定的に傾けられている溝掘り及び面取り砥石回転軸と、溝掘り砥石及び面取り砥石を、退避位置と加工位置との間で移動する移動手段と、眼鏡フレーム又は型板の枠形状、該枠形状に対する被加工レンズのレイアウトに基づいて面取りされるコバ角部の位置を求めるコバ角部検知手段と、求められたコバ角部の位置、動径情報、溝掘り砥石の径に基づいてレンズ回転手段の回転軸の各回転角における溝掘り加工情報を得、コバ角部の位置、動径情報、面取り砥石の形状に基づいて、回転軸の各回転角における面取り加工情報を得て、粗加工、仕上げ加工されたレンズに対して、溝掘り形成がレンズカーブに沿いやすいように溝掘り及び面取り砥石回転軸がレンズ回転手段の回転軸に対して固定的に傾けられた状態で、溝堀加工及び面取り加工を行う制御手段と、を備えたことを特徴とする。
（２）  （１）の眼鏡レンズ加工装置において、前記制御手段は前記レンズ回転手段の回転軸を軸方向と，溝掘り及び面取り砥石回転軸の方向とに移動させて溝掘り加工及び面取り加工を行うことを特徴とする。
（３）  （１）の眼鏡レンズ加工装置において、前記移動手段は、溝掘り及び面取り砥石回転軸を回転可能に保持する保持部材と、保持部材を支持し回転可能なアームとを有し、アームを回転させることにより溝掘り砥石及び面取り砥石を加工位置と退避位置とに移動させることを特徴とする。
【００１１】
【発明の実施の形態】
以下、本発明の実施の形態を図面に基づいて説明する。
【００１２】
(１)全体構成
図１は本発明に係る眼鏡レンズ加工装置の外観構成を示す図である。装置本体１の上部右奥には、眼鏡枠測定装置２が内蔵されている。眼鏡枠測定装置２としては、例えば、本出願人による特開平４−９３１６４号公報、特開平５−２１２６６１号公報等に記載のものが使用できる。眼鏡枠測定装置２の前方には、眼鏡枠測定装置２を操作するためのスイッチを持つスイッチパネル部４１０、加工情報等を表示するディスプレイ４１５が配置されている。また、４２０は加工条件等の入力や加工のための指示を行う各種のスイッチを持つスイッチパネル部であり、４０２は加工室用の開閉窓である。
【００１３】
図２は装置本体１の筐体内に配置される加工部の構成を示す斜視図である。ベース１０上にはキャリッジ部７００が搭載され、キャリッジ７０１の回転軸に挟持された被加工レンズＬＥは、回転軸６０１に取り付けられた砥石群６０２により研削加工される。砥石群６０２はガラス用粗砥石６０２ａ、プラスチック用粗砥石６０２ｂ、ヤゲン及び平加工用の仕上げ砥石６０２ｃからなる。回転軸６０１はスピンドル６０３によりベース１０に回転可能に取り付けられ、回転軸６０１の端部にはプーリ６０４が取り付けられており、プーリ６０４はベルト６０５を介して砥石回転用モータ６０６の回転軸に取り付けられたプーリ６０７と連結されている。
【００１４】
キャリッジ７０１の後方には、レンズ形状測定部５００が設けられている。また、手前側には面取り・溝掘り機構部８００が設けられている。
【００１５】
(２)各部の構成
（イ）キャリッジ部
キャリッジ部７００の構成を、図２及び図４に基づいて説明する。図３はキャリッジ部７００の要部を概略的に示した図であり、図４は図２におけるキャリッジ部７００をＥ方向から見たときの図である。
【００１６】
キャリッジ７０１は、レンズＬＥを２つのレンズチャック軸７０２Ｌ、７０２Ｒにチャッキングして回転させることができ、また、ベース１０に固定されて砥石回転軸６０１と平行に延びるキャリッジシャフト７０３に対して回転摺動自在になっている。以下では、キャリッジ７０１を砥石回転軸６０１と平行に移動させる方向をＸ軸、キャリッジ７０１の回転によりレンズチャック軸（７０２Ｌ、７０３Ｒ）と砥石回転軸６０１との軸間距離を変化させる方向をＹ軸として、レンズチャック機構及びレンズ回転機構、キャリッジ７０１のＹ軸移動機構、キャリッジ７０１のＸ軸移動機構を説明する。
【００１７】
＜レンズチャック機構及びレンズ回転機構＞
キャリッジ７０１の左腕７０１Ｌにチャック軸７０２Ｌが、右腕７０１Ｒにチャック軸７０２Ｒが回転可能に同一軸線上で保持されている。右腕７０１Ｒの中央上面にはチャック用モータ７１０が固定されており、モータ７１０の回転軸に付いているプーリ７１１の回転がベルト７１２を介して、右腕７０１Ｒの内部で回転可能に保持されている送りネジ７１３を回転させる。送りネジ７１３の回転により送りナット７１４を軸方向に移動させることにより、送りナット７１４に連結したチャック軸７０２Ｒが軸方向に移動することができ、レンズＬＥがチャック軸７０２Ｌ、７０２Ｒによって挟持される。
【００１８】
キャリッジ左腕７０１Ｌの左側端部にはチャック軸７０２Ｌの軸線を中心にして回動自在なモータ取付用ブロック７２０が取り付けられており、チャック軸７０２Ｌはブロック７２０を通ってその左端にはギヤ７２１が固着されている。ブロック７２０にはレンズ回転用のモータ７２２が固定されており、モータ７２２がギヤ７２４を介してギヤ７２１を回転することにより、チャック軸７０２Ｌへモータ７２０の回転が伝達される。左腕７０１Ｌの内部ではチャック軸７０２Ｌにプーリ７２６が取り付けられており、プーリ７２６はキャリッジ７０１の後方で回転可能に保持されている回転軸７２８の左端に固着されたプーリ７３０ａとタイミングベルト７３１ａにより繋がっている。また、回転軸７２８の右端に固着されたプーリ７３０ｂは、キャリッジ右腕７０１Ｒ内でチャック軸７０２Ｒの軸方向に摺動可能に取付けられたプーリ７３３と、タイミングベルト７３１ｂにより繋がっている。この構成によりチャック軸７０２Ｌとチャック軸７０２Ｒは同期して回転する。
【００１９】
＜キャリッジのＸ軸移動機構、Ｙ軸移動機構＞
キャリッジシャフト７０３にはその軸方向に摺動可能な移動アーム７４０が設けられており、移動アーム７４０はキャリッジ７０１と共にＸ軸方向（シャフト７０３の軸方向）に移動するように取り付けられている。また、移動アーム７４０の前方は、シャフト７０３と平行な位置関係でベース１０に固定されたガイドシャフト７４１上を摺動可能にされている。移動アーム７４０の後部には、シャフト７０３と平行に延びるラック７４３が取り付けられており、このラック７４３にはベース１０に固定されたキャリッジＸ軸移動用モータ７４５の回転軸に取り付けられたピニオン７４６と噛み合っている。これらの構成によりモータ７４５は移動アーム７４０と共にキャリッジ７０１をシャフト７０３の軸方向に移動させることができる。
【００２０】
移動アーム７４０には揺動ブロック７５０が、図３（ｂ）のように、砥石の回転中心と一致する軸線Ｌａを中心に回動可能に取り付けられており、また、シャフト７０３の中心からこの軸線Ｌａまでの距離と、シャフト７０３の中心からキャリッジ７０１のチャック軸（７０２Ｌ，７０２Ｒ）の回転中心までの距離とは同じになるように設定されている。揺動ブロック７５０にはＹ軸モータ７５１が取り付けられており、モータ７５１の回転はプーリ７５２とベルト７５３を介して、揺動ブロック７５０に回転可能に保持された雌ネジ７５５に伝達される。雌ネジ７５５内のネジ部には送りネジ７５６が噛み合わされて挿通されており、雌ネジ７５５の回転により送りネジ７５６は上下移動する。
【００２１】
送りネジ７５６の上端には、モータ取付用ブロック７２０の下端面に当接するガイドブロック７６０が固定されており、ガイドブロック７６０は揺動ブロック７５０に植設された２つのガイド軸７５８ａ、７５８ｂに沿って移動する。したがって、Ｙ軸モータ７５１の回転により送りネジ７５６と共にガイドブロック７６０を上下させることにより、ガイドブロック７６０に当接するモータ取付用ブロック７２０の上下位置を変化させることができる。これにより、ブロック７２０に取付けられたキャリッジ７０１もその上下位置を変化させることができる（すなわち、キャリッジ７０１はシャフト７０３を回転中心に回旋し、レンズチャック軸（７０２Ｌ、７０２Ｒ）と砥石回転軸６０１との軸間距離を変化させる）。キャリッジ７０１の左腕７０１Ｌと移動アーム７４０との間にはバネ７６２が張り渡されており、キャリッジ７０１は常時下方に付勢され、レンズＬＥの加工圧が与えられる。このキャリッジ７０１の下方への付勢力に対して、キャリッジ７０１はブロック７２０がガイドブロック７６０に当接する位置までしか下降できない。ブロック７２０には加工終了検知用のセンサ７６４が取付けられており、センサ７６４はガイドブロック７６０に付いているセンサ板７６５の位置を検知することにより加工終了（研削状態）を検知する。
【００２２】
（ロ）レンズ形状測定部
レンズ形状測定部５００の構成を、図５〜図８を基に説明する。図５はレンズ形状測定部５００を上から見たときの図、図６は図５の左側面図、図７は図５の右側面の要部を示した図である。図８は図５のＦ−Ｆ断面図である。
【００２３】
ベース１０には支基ブロック５０１が立設されており、この支基ブロック５０１には、上下に配置されたガイドレール部５０２ａ、５０２ｂによってスライドベース５１０が左右方向（チャック軸と平行な方向）に摺動可能に保持されている。スライドベース５１０の左端には前方に延びる側板５１０ａが一体的に形成されており、側板５１０ａにはチャック軸７０２Ｌ、７０２Ｒと平行な位置関係を持つシャフト５１１が回転可能に取付けられている。シャフト５１１の右端部にはレンズ後面測定用の測定子５１５を持つ測定子アーム５１４が固着されており、また、シャフト５１１の中央よりにはレンズ前面測定用の測定子５１７を持つ測定子アーム５１６が固着されている。測定子５１５及び測定子５１７は共に円筒形状をしており、図１３のように先端側は斜めにカットされ、その斜めにカットされた各最先端がレンズＬＥの後面及び前面に接触する。測定子５１５の接触点及び測定子５１７の接触点は対向しており、その間隔は距離不変に配置されている。なお、測定子５１５の接触点と測定子５１７の接触点を結ぶ軸線は、図１３に示す測定状態のとき、レンズチャック軸（７０２Ｌ，７０２Ｒ）の軸線と平行に所定の位置関係となっている。また、レンズ後面測定用の測定子５１５はやや長めの円筒部を持ち、レンズ外径の測定の際にはその側面をレンズＬＥのコバ端面に当接させて測定を行う。
【００２４】
シャフト５１１の基部には小ギヤ５２０が固定されており、側板５１０ａに回転可能取付けられた大ギヤ５２１が小ギヤ５２０に噛み合っている。大ギヤ５２１と側板５１０ａの下方にはバネ５２３が張り渡されており、バネ５２３により大ギヤ５２１が図１５上の時計回りに回転する方向に常時引っ張られている。つまり、アーム５１４、５１６は小ギヤ５２０を介して下方に回転するように付勢されている。
【００２５】
側板５１０ａには溝５０３が形成されており、大ギヤ５２１からはこの溝５０３を貫通するピン５２７が偏心して固着されている。ピン５２７には大ギヤ５２１を回転させるための第１移動板５２８が取付けられている。第１移動板５２８の略中央には長穴５２８ａが形成されており、この長穴５２８ａに側板５１０ａに固着された固定ピン５２９が係合する。
【００２６】
また、支基ブロック５０１の後方に延びる後部板５０１ａにはアーム回転用のモータ５３１が取付けられており、モータ５３１の回転軸に取付けられた回転部材５３２には回転軸から偏心した位置に偏心ピン５３３が取付けられている。偏心ピン５３３には第１移動板５２８を前後方向（図６上の左右方向）に移動するための第２移動板５３５が取り付けられている。第２移動板５３５の略中央には長穴５３５ａが形成されており、この長穴５３５ａに後部板２０１ａに固定された固定ピン５３７が係合する。第２移動板５３５の端部にはローラ５３８が回転可能に取り付けられている。
【００２７】
モータ５３１の回転により偏心ピン５３３を、図６の状態から時計回りに回転すると、固定ピン５３７と長穴５３５ａのガイドにより第２移動板５３５は前側（図６上の右側）に移動する。ローラ５３８は第１移動板５２８の端面に当接しているので、第２移動板５３５の移動によりローラ５３８は第１移動板５２８をも前側に移動する。この移動によって第１移動板５２８がピン５２７を介して大ギヤ５２１を回転するようになり、大ギヤ５２１の回転によりシャフト５１１に取り付けられた測定子アーム５１４及び５１６は起立した状態に退避する。この退避位置へのモータ５３２の駆動は、回転部材５３２の回転位置を図示なきマイクロスイッチが検知することにより定められる。
【００２８】
モータ５３１を逆回転すると第２移動板５３５は引き戻され、大ギヤ５２１はバネ５２３に引っ張られて回転し、測定子アーム５１４及び５１６は前側に倒される。大ギヤ５２１の回転は側板５１０ａに形成された溝５０３の端面にピン５２７がぶつかることにより制限され、測定子アーム５１４及び５１６の測定位置が決定される。この測定位置まで測定子アーム５１４及び５１６が回転したことは、図８に示すように、側板５１０ａに取り付けられたセンサ５２４で、大ギヤ５２１に付いているセンサ板５２５の位置を検知することにより検出する。
【００２９】
スライドベース５１０（測定子アーム５１４，５１５）の左右移動機構を図１８及び図９により説明する。図９は左右移動の状態を説明する図である。
【００３０】
スライドベース５１０の内部は開口が形成されており、その開口の下端部にはラック５４０が設けられている。ラック５４０には支基ブロック５０１側に固定されたエンコーダ５４２のピニオン５４３と噛み合っており、エンコーダ５４２はスライドベース５１０の左右の移動方向と移動量を検知する。スライドベース５１０の開口から覗く支基ブロック５０１の壁面には、「く」の字状の駆動板５５１が軸５５２を中心に回転可能に、逆「く」の字状の駆動板５５３が軸５５４を中心に回転可能にそれぞれ取り付けられており、駆動板５５１と駆動板５５３の間には両者を接近させる方向に付勢力を持つバネ５５５が張り渡されている。また、支基ブロック５０１の壁面には制限ピン５５７が植設されており、スライドベース５１０に外力が働いていないときは、この制限ピン５５７に駆動板５５１の上部端面５５１ａと駆動板５５３の上部端面５５３ａが共に当接した状態となり、これが左右移動の原点となる。
【００３１】
一方、スライドベース５１０の上部には、駆動板５５１の上部端面５５１ａと駆動板５５３の上部端面５５３ａとの間の位置にガイドピン５６０が固着されている。スライドベース５１０に右方向に移動する力が働くと、図９（ａ）のように、ガイドピン５６０は駆動板５５３の上部端面５５３ａに当接して駆動板５５３は右方向に傾く。このとき、駆動板５５１側は制限ピン５５７によって固定されているので、スライドベース５１０はバネ５５５により左右移動の原点まで戻される方向（左方向）に付勢される。逆に、スライドベース５１０に左方向に移動する力が働くと、図９（ｂ）のように、ガイドピン５６０は駆動板５５１の上部端面５５１ａに当接して駆動板５５１は左方向に傾くが、駆動板５５３側は制限ピン５５７によって固定される。したがって、今度はスライドベース５１０がバネ５５５により左右移動の原点まで戻される方向（右方向）に付勢される。このようなスライドベース５１０の移動から、レンズ後面に接触する測定子５１５、レンズ前面に接触する測定子５１７の移動量（チャック軸の軸方向の移動量）が１つのエンコーダ５４２により検知される。
【００３２】
なお、図５において、５０は加工室の防水カバーを示し、防水カバー５０からはシャフト５１１、測定子アーム５１４、５１６、及び測定子５１５、５１７のみが露出する状態となっている。５１は防水カバー５０とシャフト５１１とのシール材である。加工時には図示なきノズルから研削水が噴射されるが、レンズ形状測定部５００を加工室の後方に配置するとともに、上記のような構成により、防水カバー５０１から露出するシャフト５１１のシールドを行うだけでレンズ形状測定部５００の電装部や移動機構の防水を行うことができ、防水機構が簡略されている。
【００３３】
（ハ）面取り・溝掘り機構部
面取り・溝掘り機構部８００の構成を図１０〜１２に基づいて説明する。図１０は面取り・溝掘り機構部８００の正面図、図１１は上面図、図１２は左側面図を示したものである。
【００３４】
ベース１０上に固設された支基ブロック８０１には各部材を取る付ける固定板８０２が固定されている。固定板８０２の上方左側には、後述するアーム８２０を回転して砥石部８４０を加工位置と退避位置とに移動するためのパルスモータ８０５が、４個の柱スペーサ８０６によって固定されている。固定板８０２の中央部には、アーム回転部材８１０を回転可能に保持する保持部材８１１が取り付けられており、固定板８０２の左側まで伸びたアーム回転部材８１０には大ギヤ８１３が固着されている。パルスモータ８０５の回転軸にはギヤ８０７が取り付けられており、パルスモータ８０５によるギヤ８０７の回転はアイドラギヤ８１５を介して大ギヤ８１３に伝達され、アーム回転部材８１０に取り付けられたアーム８２０が回転される。
【００３５】
また、大ギヤ８１３の背後（図１０上の左側）には砥石回転用のモータ８２１が固設されており、モータ８２１は大ギヤ８１３と共に回転する。モータ８２１の回転軸はアーム回転部材８１０の内部で回転可能に保持された軸８２３に連結されており、アーム８２０内まで延びた軸８２３の他端にはプーリ８２４が取り付けられている。また、アーム８２０の先端側には、砥石回転軸８３０を回転可能に保持する保持部材８３１が取り付けられ、砥石回転軸８３０の左端（図１１上の左側）にはプーリ８３２が取り付けられている。そして、プーリ８３２はプーリ８２４とベルト８３５により繋がっており、モータ８２１の回転が砥石回転軸８３０に伝達される。
【００３６】
砥石回転軸８３０の右端には砥石部８４０が取り付けられている。砥石部８４０はレンズ後面用の面取砥石８４０ａと、レンズ前面用の面取砥石８４０ｂと、両面取砥石８４０ａ、８４０ｂの間に設けられた溝掘用砥石８４０ｃと、を一体的に形成して構成されている。溝掘用砥石８４０ｃの直径は約３０ｍｍ程で、両側の面取砥石８４０ａ、８４０ｂは溝掘用砥石８４０ｃを中心に外側に向かって径が小さくなる加工斜面を持つ。
【００３７】
なお、砥石回転軸８３０はレンズチャック軸７０２Ｌ、７０２Ｒの軸線方向に対して８度程傾いて配置されており、溝掘用砥石８４０ｃにより溝掘り形成がレンズカーブに沿いやすいようになっている。また、レンズ後面用の面取砥石８４０ａの傾斜面、及びレンズ前面用の面取砥石８４０ｂの傾斜面は、レンズチャック軸７０２Ｌ、７０２Ｒに挟持されるレンズＬＥのコバ角部の面取角度がそれぞれ５５度と４０度となるように設計されている。
【００３８】
固定板８０２の左側手前（図１０上の左側手前）にはブロック８５０が取り付けられ、ブロック８５０の内部にはバネ８５１ａを持つボールプランジャ８５１が設けられている。また、大ギヤ８１３にはボールプランジャ８５１が持つボール８５１ｂに当接する制限板８５３が固定されている。溝掘り及び面取り加工の開始時には、モータ８０５の回転により大ギヤ８１３と共にアーム８２０が回転され、砥石部８４０が図１２に示す加工位置に置かれる。このとき制限板８５３がボールプランジャ８５１のボール８５１ｂに当接する位置となる。溝掘り及び面取りの加工は、キャリッジ７０１の昇降によりレンズＬＥが砥石部８４０に押し付けられながら行われるので、砥石部８４０は図１２上の矢印８４５方向に押し下げられて大ギヤ８１３が回転する。この回転により制限板８５３はボールプランジャ８５１のボール８５１ｂを介してバネ８５１ａを圧縮するので、砥石部８４０にはレンズＬＥ方向への（加工位置に戻る方向への）付勢力が加えられるようになる。砥石部８４０はボール８５１ｂが押し込まれる位置までの逃げ移動が可能であり、その逃げの距離は約５ｍｍ程に設計されている。
【００３９】
図１２において、ブロック８５０の下方には加工位置の原点検出用のセンサ８５５が固定されており、センサ８５５は大ギヤ８１３に取り付けられたセンサ板８５６の遮光状態を検出することによって砥石部８４０の加工位置の原点、すなわちボールプランジャ８５１による付勢力が加わらずに、制限板８５３がボール８５１ｂに当接する位置を検出する。
【００４０】
また、ブロック８５０の上方側には退避位置検出用のセンサ８５８が固定されており、センサ８５８は大ギヤ８１３に取り付けられたセンサ板８５９を検出することによって、矢印８４６方向にアーム８２０と共に回転される砥石部８４０の退避位置を検出する。砥石部８４０の退避位置は、図１２上の垂直方向よりやや右側の位置に設定されている。
【００４１】
なお、レンズと面取砥石との間に一定の負荷を掛ける上では、加工時における面取砥石の配置を固定し、キャリッジ機構に設けられたバネにより負荷を与える構成とすることも考えられるが、キャリッジ機構側のバネでは負荷が大きすぎ、糸面取りと呼ばれる僅かな量の面取りには適さない。仮にその負荷を小さくするように調整したとしても、キャリッジ機構は重量があるので、移動時の動きが悪く、面取量の制御は非常に難しくなる。これに対して、本形態のように重量の軽い面取砥石側からレンズに一定の負荷を掛けることにより、面取量の制御を行い易くできる。
【００４２】
次に、以上のような構成を持つ装置において、その動作を図１３の制御系ブロック図を使用して説明する。ここでは、溝掘り加工と面取り加工を行う場合について説明する。
【００４３】
枠入れする眼鏡枠（又は型板）の形状を眼鏡枠測定装置２により測定し、測定した枠形状データを、スイッチ４２１を押すことによりデータメモリ１６１に入力する。ディスプレイ４１５には枠データに基づく枠形状図形が表示され、加工条件を入力できる状態になる。操作者はスイッチパネル部４１０の各スイッチを操作して装用者のＰＤ、光学中心の高さ等の必要なレイアウトデータを入力する。また、加工するレンズの材質や加工モードを入力する。溝掘り加工を行う場合は、加工モード選択用のスイッチ４２３により溝掘り加工のモードを選択する。面取り加工を行う場合は、スイッチ４２５を操作して面取りモードを選択する。スイッチ４２５では面取りを行うか否かの選択と、面取りの大きさを選択でき、スイッチ４２５を押す毎にディスプレイ４１５に表示されるモードが、「面取り無し」→「小面取」→「中面取」→「大面取」の順に切替わる。例えば、「小面取」は０．１ｍｍ、「中面取」は０．２ｍｍ、「大面取」は０．３ｍｍの面取りを施すように設定されている。
【００４４】
必要な入力ができたら、レンズＬＥをレンズチャック軸７０２Ｌとレンズチャック軸７０２Ｒによりチャッキングした後、スタートスイッチ４２３を押して装置を作動させる。主制御部１６０は入力された枠形状データとレイアウトデータとを基にして加工中心を中心とした動径情報（ｒδn，ｒθn）（ｎ＝１，２，……，Ｎ）を得た後、動径が砥石面に接する接触点の位置情報から加工補正情報を求め（特開平５−２１２６６１号公報参照）、これをメモリ１６１に記憶する。
【００４５】
続いて、主制御部１６０は、加工シーケンスプログラムに従って、レンズ形状測定部５００を用いてレンズ形状の測定を実行する。主制御部１６０はモータ５３１を駆動してシャフト５１１を回転させ、測定子アーム５１４，５１６を退避位置から測定位置に位置させる。主制御部１６０は動径情報（ｒδn，ｒθn）に基づき、測定子５１５と測定子５１７を結ぶ軸線Ｌｂに対するレンズチャック軸の軸線との距離を変化させるようにキャリッジ７０１を上下移動し、チャッキングしたレンズＬＥを図５のように測定子５１５と測定子５１７の間に位置させる。その後、モータ７４５の駆動によりキャリッジ７０１を測定子５１７側へ所定量分だけ移動し、レンズＬＥの前面屈折面の測定子５１７を当接させる。測定子５１７側へのレンズＬＥの初期測定位置は、スライドベース５１０の左側移動範囲のほぼ中間であり、測定子５１７にはバネ５５５により常にレンズＬＥの前側屈折面に当接するように力が働く。
【００４６】
測定子５１７が前側屈折面に当接した状態で、モータ７２２によりレンズＬＥを回転するとともに、加工形状データである動径情報を基にモータ７５１を駆動してキャリッジ７０１を上下させる。こうしたレンズＬＥの回転及び移動に伴い、測定子５１７はレンズ前面形状に沿って左右方向に移動する。この移動量はエンコーダ５４２により検出されレンズＬＥの前面屈折面形状が計測される。
【００４７】
レンズ前面側の測定が終了したら、主制御部１６０はそのままキャリッジ７０１を右方向へ移動し、レンズＬＥの後側屈折面に測定子５１５を当接させて測定面を切換える。後面測定の初期測定位置もスライドベース５１０の右側移動範囲のほぼ中間であり、測定子５１５には常にレンズＬＥの後側屈折面に当接するように力が働く。その後、レンズＬＥを１回転させながら前側屈折面の測定と同様にして測定子５１５の移動量から後側屈折面形状を計測する。レンズの前側屈折面形状及び後側屈折面形状が得られると、両者からコバ厚情報を得ることができる。レンズ形状の測定終了後は、主制御部１６０はモータ５３１を駆動させて測定子アーム５１４，５１６を退避させる。
【００４８】
レンズ形状の測定が完了すると、主制御部１６０は加工条件の入力データに従ってレンズＬＥの加工を実行する。主制御部１６０は粗砥石６０２ｂ上にレンズＬＥがくるようにキャリッジ７０１を７４５により移動させた後、加工補正情報に基づいてキャリッジ７０１を上下移動させて粗加工を行う。次に、仕上げ砥石６０２ｃの平坦部分にレンズＬＥを移動し、同様にキャリッジ７０１を上下移動させて仕上げ加工を行う。
【００４９】
仕上げ加工が終了したら、次に面取り・溝掘り機構部８００を駆動して溝加工に移る。主制御部１６０はキャリッジ７０１を上昇させた後、退避位置に置かれている砥石部８４０を加工位置に来るように、モータ８０５を所定パルス数分だけ回転する。その後、キャリッジ７０１の上下移動と軸方向への移動とによりレンズＬＥを回転する溝掘用砥石８４０ｃ上に位置させ、溝加工用データに基づいてキャリッジ７０１の移動を制御して加工を行う。
【００５０】
溝加工用データは動径情報とレンズ形状の測定結果とから予め主制御部１６０が求めておく。キャリッジ７０１の上下移動させるデータについては、研削用の砥石群６０２にと同じように、予定する動径情報（ｒδn，ｒθn）と溝掘用砥石８４０ｃの径とにより、レンズ回転角に対する溝掘用砥石８４０ｃとレンズチャック軸との距離を求め、これに溝の深さ情報を加味して得る。また、レンズチャック軸方向における溝位置データは、レンズ形状の測定データによる前側屈折面形状及び後側屈折面形状からコバ厚が分かるので、これに基づきヤゲン位置の決定方法と同じ要領で決定することができる。例えば、レンズコバ厚をある比率で定める他、溝位置をレンズ前面のコバ位置より一定量後面側にずらし、前面カーブに沿わせるようにする等の各種の方法で行うことができる。
【００５１】
溝加工はキャリッジ７０１の上下移動によりレンズＬＥが溝掘用砥石８４０ｃに押し当てられながら行われる。加工中、溝掘用砥石８４０ｃは加工位置の原点から図１２上に矢印８４５の方向に逃げるが、ボールプランジャ８５１により負荷が掛けられているので徐々に削られていく。所定の深さまでの溝加工ができたか否かはセンサ８５８が監視し、全周の加工終了が検知されるまでレンズの回転が行われる。
【００５２】
溝加工が終了すると、主制御部１６０は面取り加工データに基づいてキャリッジ７０１を移動制御して面取り加工を行う。
【００５３】
面取り加工時の加工データの算出について説明する。レンズ後面側及び前面側にそれぞれ面取りを施す場合は、それぞれの加工データを算出するが、ここではレンズ後面側を例にとって説明する。
【００５４】
主制御部１６０は動径情報（ｒδn，ｒθn）（ｎ＝１，２，……，Ｎ）を以下の式に代入してＬの最大値を求める。Ｒはレンズ後面のコバを当接させる位置（例えば、砥石面の中間位置）における面取砥石８４０ａの半径、Ｌは砥石回転中心とレンズ加工中心間の距離を示している。
【００５５】
【数１】
0004412801.tif 000002
次に動径情報（ｒδn，ｒθn）を微小な任意の単位角度だけ加工中心を中心に回転させ、前述と同様にその時のＬの最大値を求める。この回転角をξｉ（ｉ＝１，２，……，Ｎ）とし、全周に亘ってこの計算を行うことにより、ぞれぞれのξｉにおけるＬの最大値をＬｉ、その時のｒθnをΘｉとする、動径方向における面取り加工補正情報が（ξｉ，Ｌｉ，Θｉ）（ｉ＝１，２，……，Ｎ）として得られる。
【００５６】
また、レンズ後面側面取りにおけるレンズチャック軸方向の加工情報は、レンズ形状測定によるレンズ後面形状情報を回転角ξｉとの関係に変換して得られる。
【００５７】
ここで、面取り加工時におけるレンズの回転角速度を一定にすると、レンズ形状によっては、レンズと面取砥石との接触点での移動速度が異なり、均一な面取が難しい。例えば、図１４に示すようなレンズＬＥを半径Ｒａの面取砥石ＰＬで加工するとき、レンズ回転に対する砥石ＰＬの中心の相対的な移動軌跡は、２点鎖線Ｍで示すものとなる。Ｐ１−Ｐ２間の距離を加工する時、レンズＬＥはθ１だけ回転し、鋭角な部分Ｐ２−Ｐ３間はθ２だけ回転する。この時、レンズの回転角θ１よりθ２の方が大きいが、Ｐ１−Ｐ２間の加工距離に対してＰ２−Ｐ３間の加工距離はかなり短い。すなわち、一定速度でレンズＬＥを回転すると、面取り砥石ＰＬの移動速度はＰ１−Ｐ２間に対してＰ２−Ｐ３間の方が遅くなる。移動速度の遅い部分はその分だけ面取り砥石の接触時間が長くなるので、レンズに対して面取砥石により一定の負荷をかけて面取り加工を行うと、接触時間が長い部分は面取砥石からの負荷が強く作用し、結果的に多く面取りされることになる。
【００５８】
そこで、本発明では加工中における面取砥石とレンズとの接触点の移動速度が略一定となるように、レンズの回転角速度を制御する。この回転角速度データは次のように主制御部１６０が求める（図１５のフローチャート参照）。
【００５９】
前述した面取り加工補正情報（ξｉ，Ｌｉ，Θｉ）の算出において、単位回転角ξｉにおけるＬの最大値をＬｉとしたときの動径長ｒδnをΔｉとすると、接触点位置情報が（ξｉ，Δｉ，Θｉ）（ｉ＝１，２，……，Ｎ）として得られる。次に、ξｉとξ（ｉ＋１）の隣り合う２点間の距離ｄｉを順に求める（直交座標に変換して求めることができる）。そして、接触点の移動速度である単位時間当たりの移動距離Ｄに対する距離ｄｉの距離比ｅｉを順に求めた後、ξｉとξ（ｉ＋１）との差（すなわち単位回転角度）に距離比ｅｉの逆数を乗ずることにより、各２点間の移動速度を一定にするための単位回転角当たりの回転角速度情報ＶDｉ（ｉ＝１，２，……，Ｎ）が得られる。なお、回転角速度ＶDｉは接触点の隣り合う２点間毎に細かく求めても良いが、ある程度接触点の数をまとめて計算しても良い。
【００６０】
面取り加工時、主制御部１６０は加工位置に配置された砥石部８４０の面取砥石８４０ａに対して、面取り加工補正情報（ξｉ，Ｌｉ，Θｉ）に基づいてキャリッジ７０１の上下移動を制御し、回転角ξｉに対するレンズ後面形状情報に基づいてチャック軸の左右移動を制御する。また、回転角速度情報ＶDｉに基づいてモータ７２２によるレンズの回転速度を制御する。このときレンズＬＥの後面角部は面取砥石８４０ａに押し当てる必要があるので、加工位置に配置された面取砥石８４０ａの当接面に対して、例えば１ｍｍ余分に押し込むようにキャリジ７０１を上下移動する。これにより面取砥石８４０ａは図１２に示す矢印８４５方向に逃げると共に、ボールプランジャ８５１の付勢力により、レンズコバ角部に対して一定の負荷を掛けながら面取りを行っていき、レンズを１回転させるこことでその全周に均一な面取りが施される。
【００６１】
なお、所望する面取り量に対する移動速度は、面取砥石の粒度やボールプランジャ８５１の付勢力によって影響するので、実験的な結果から定めれば良い。
【００６２】
また、面取り量の制御は、加工中に略一定とする接触点の移動速度、すなわち、単位時間当たりにおける接触点の移動距離Ｄを変えることで行うことができる。例えば、小面取（０．１ｍｍ）の移動速度を基準にして、中面取（０．２ｍｍ）の時は１／２の移動速度、大面取（０．３ｍｍ）の時は１／３の移動速度とすることにより、レンズＬＥの１回転での面取り量が変えられる。この他、加工中における接触点の移動速度は一定としたまま、レンズＬＥを回転する回数を変化させることによって面取り量を制御することも可能である。例えば、レンズの１回転で小面取（０．１ｍｍ）を行えるようにした場合、中面取（０．２ｍｍ）の時はレンズを２回転し、大面取（０．３ｍｍ）の時はレンズを３回転して行う。
【００６３】
以上、面取り量の設定はスイッチ４２５で予め定められた量から選択するものとしたが、面取りのパラメータ設定画面によって任意の量を設定できるようにしても良い。この場合、主制御部１６０は接触点の移動速度とレンズ回転数の関係を最も好ましい条件とする。
【００６４】
【発明の効果】
以上説明したように、本発明によれば、溝掘用砥石により溝掘り形成がレンズカーブに沿いやすいようにできるとともに、溝掘り砥石と面取り砥石とを同軸に軸支えし、その軸の角度を固定して加工するので、加工データを得るための演算処理も容易である。
【図面の簡単な説明】
【図１】本発明に係る眼鏡レンズ加工装置の外観構成を示す図である。
【図２】装置本体の筐体内に配置される加工部の構成を示す斜視図である。
【図３】キャリッジ部の要部を概略的に示した図である。
【図４】図２におけるキャリッジ部をＥ方向から見たときの図である。
【図５】レンズ形状測定部を上から見たときの図である。
【図６】図５の左側面図である。
【図７】図５の右側面の要部を示した図である。
【図８】図５のＦ−Ｆ断面図である。
【図９】レンズ形状測定部の左右移動の状態を説明する図である。
【図１０】面取り・溝掘り機構部の正面図である。
【図１１】面取り・溝掘り機構部の上面図である。
【図１２】面取り・溝掘り機構部の左側面図である。
【図１３】本装置の制御系ブロック図である。
【図１４】レンズ回転に対するレンズと砥石の接触点の移動距離の関係を説明する図である。
【図１５】面取砥石とレンズとの接触点の移動速度が略一定となるようにするための、レンズ回転角速度情報の算出を説明するフローチャートである。
【符号の説明】
２  眼鏡枠測定装置
１６０  主制御部
４２０  スイッチパネル部
５００  レンズ形状測定部
７０１  キャリッジ
７０２Ｌ、７０２Ｒ  レンズチャック軸
７２２  モータ
８００  面取り・溝掘り機構部
８０５  パルスモータ
８２０  アーム
８２１  モータ
８３０  砥石回転軸
８４０ａ、８４０ｂ  面取砥石
８５１  ボールプランジャ
８５１ａ  バネ
【図１】
0004412801.tif 000003
【図２】
0004412801.tif 000004
【図３】
0004412801.tif 000005
【図４】
0004412801.tif 000006
【図５】
0004412801.tif 000007
【図６】
0004412801.tif 000008
【図７】
0004412801.tif 000009
【図８】
0004412801.tif 000010
【図９】
0004412801.tif 000011
【図１０】
0004412801.tif 000012
【図１１】
0004412801.tif 000013
【図１２】
0004412801.tif 000014
【図１３】
0004412801.tif 000015
【図１４】
0004412801.tif 000016
【図１５】
0004412801.tif 000017